(57)【要約】  【課題】天板の反使用端側にトレーを配することによって利便性を高めつつ、軽量化と全体の剛性アップとを両立させることができるテーブルを提供する。  【解決手段】左右対をなす脚体１の上端１ａ同士を天板受部材２により結合し、前記天板受部材２上に天板３とこの天板３の反使用端３ａに沿って左右に延びるトレー４とを設けたテーブルＴにおいて、前記トレー４が、底壁５と、その底壁５の少なくとも反天板側の縁に沿って設けられた起立壁６とを備えた剛性を有し、そのトレー４を、前記天板受部材２に剛結する構成を採用する。【選択図】図５
2020028806.tif 000002
【特許請求の範囲】
【請求項１】
左右対をなす脚体の上端同士を天板受部材により結合し、前記天板受部材上に天板とこの天板の反使用端に沿って左右に延びるトレーとを設けたテーブルであって、
前記トレーが、底壁と、その底壁の反天板側の縁に沿って設けられた起立壁とを備えたものであり、前記天板受部材と一体に形成されているテーブル。
【請求項２】
前記天板は、使用端が反使用端よりも低くなるように傾斜させてあり、前記トレーは、前記底壁が略水平となるように配されている請求項１記載のテーブル。
【請求項３】
前記天板受部材が、前記天板を支持する傾斜部と、前記トレーを支持する水平部とを一体に備えたものであり、
前記トレーが、同一の部材により前記水平部と一体に形成されている請求項２記載のテーブル。
【請求項４】
前記傾斜部と前記水平部とは、左右に延びる屈曲線部を介して連続している請求項３記載のテーブル。
【請求項５】
左右対をなす前記脚体の上端部は前記天板受部材に剛結されており、これら両脚体の少なくとも下半部は相互に連結されていない請求項１、２、３又は４記載のテーブル。
【請求項６】
左右対をなす前記脚体が、ベースと、このベースに立設された支柱とを備えたものであり、
前記支柱の上端部近傍部間が横架材により連結されている請求項５記載のテーブル。
【発明の詳細な説明】
【技術分野】
【０００１】
本発明は、ソファ等と組み合わせて使用するのに好適なテーブルに関する。
【背景技術】
【０００２】
従来、この種のテーブルとして、ベッドやソファなどに着座した状態で使用するサポートテーブル等と称されるものが知られている（例えば、非特許文献１を参照）。
【０００３】
ところで、近時のオフィス等においては、複数人が共通のディスプレーを見ながらソファに着座してプレゼンテーションやＴＶ会議等を行うようなワークスタイルが普及しつつあり、各着座者には、パーソナルコンピューターや筆記用具等を載置して使用するサポートテーブルが割り当てられることも少なくない。
【０００４】
ところが、かかるアクティブな状況で使用されるテーブルには、ベッド脇で使用されるような重厚なものは相応しくなく、軽量でしかも頑丈なものが望まれる。
【０００５】
しかしながら、軽量化を促進すると全体の剛性が損なわれ易く、逆に丈夫なものにすると重量が増加するというジレンマがある。
【０００６】
このような課題は、必ずしもソファの前で使用されるテーブルに限らず、他の用途に使用されるテーブルにおいても同様に存在する。
【先行技術文献】
【非特許文献】
【０００７】
【非特許文献１】株式会社キンタロー、「『サポートテーブルＢ』ベッドサイドでの食事に最適  日本製  キンタロー  木製  介護用｜木製手すり  天然木  サポート家具通販のキンタロー」、[online]、平成29年、株式会社キンタロー、［平成29年9月4日検索］、インターネット<url:https://support-kagu.com/goods/s#table/spt008.html>
【発明の概要】
【発明が解決しようとする課題】
【０００８】
本発明は、以上説明した事情に着目してなされたもので、天板の反使用端側にトレーを配することによって利便性を高めつつ、軽量化と全体の剛性アップとを両立させることができるテーブルを提供することを目的としている。
【課題を解決するための手段】
【０００９】
請求項１記載の発明に係るテーブルは、左右対をなす脚体の上端同士を天板受部材により結合し、前記天板受部材上に天板とこの天板の反使用端に沿って左右に延びるトレーとを設けたテーブルであって、
前記トレーが、底壁と、その底壁の反天板側の縁に沿って設けられた起立壁とを備えたものであり、前記天板受部材と一体に形成されているものである。
【００１０】
なお、本発明において、「トレーが天板受部材に剛結されている」とは、トレーと天板受け部材とが溶接等により離脱不能に結合されたものだけでなく、トレーと天板とが同一の部材により形成された状態で一体に結合されているものも含む概念である。
【００１１】
請求項２記載の発明に係るテーブルは、請求項１記載の構成のものにおいて、前記天板は、使用端が反使用端よりも低くなるように傾斜させてあり、前記トレーは、前記底壁が略水平となるように配されているものである。
【００１２】
請求項３記載の発明に係るテーブルは、請求項２記載の構成のものにおいて、前記天板受部材が、前記天板を支持する傾斜部と、前記トレーを支持する水平部とを一体に備えたものであり、前記トレーが、同一の部材により前記水平部と一体に形成されているものである。
【００１３】
請求項４記載の発明に係るテーブルは、請求項３記載の構成のものにおいて、前記傾斜部と前記水平部とは、左右に延びる屈曲線部を介して連続しているものである。
【００１４】
請求項５記載の発明に係るテーブルは、請求項１、２、３又は４記載の構成のものにおいて、左右対をなす前記脚体の上端部は前記天板受部材に剛結されており、これら両脚体の少なくとも下半部は相互に連結されていないものである。
【００１５】
請求項６記載の発明に係るテーブルは、請求項５記載の構成のものにおいて、左右対をなす前記脚体が、ベースと、このベースに立設された支柱とを備えたものであり、前記支柱の上端部近傍部間が横架材により連結されているものである。
【発明の効果】
【００１６】
本発明によれば、天板の反使用端側にトレーを配することによって利便性を高めつつ、軽量化と全体の剛性アップとを両立させることができるテーブルを提供することができる。
【図面の簡単な説明】
【００１７】
【図１】本発明の一実施形態に係るテーブルを示す斜視図。
【図２】同実施形態に係るテーブルを示す正面図。
【図３】同実施形態に係るテーブルを示す右側面図。
【図４】同実施形態に係るテーブルを示す平面図。
【図５】図４におけるＡ−Ａ線に沿った要部拡大断面図。
【発明を実施するための形態】
【００１８】
本発明の一実施形態を、図１〜図５を参照しつつ以下に述べる。
【００１９】
本実施形態に係るテーブルＴは、図２〜図４に示すように、左右対をなす脚体１の上端１ａ同士を天板受部材２により結合し、前記天板受部材２上に、天板３と、この天板３の反使用端３ａに沿って左右に延びるトレー４とを設けたものであって、前記トレー４が、底壁と５、その底壁５の反天板側及び天板側の縁に沿ってそれぞれ設けられた起立壁６、７とを備えた剛性を有するものであり、そのトレー４が、前記天板受部材２に剛結されている。
【００２０】
前記脚体１は、図１〜図５に示すように、ベース１１と、このベース１１の後端近傍部に立設された支柱１３とを備えたもので、これら両脚体１の上端部は後述するように前記天板受部材２に剛結されている。詳述すれば、前記ベース１１は、図３〜図５に示すように、支柱１３にネジｖ１を用いて取り付けられ下方に開口した扁平箱型をなすベース本体１５と、このベース本体１５に下側から嵌合させ複数の皿ネジｖ２を用いて当該ベース本体１５に固定された底部材１７と、この底部材１７の前後両端部に取り付けられた接地体１９とを具備してなる。前記支柱１３は金属製、具体的にはスチール製の丸パイプ材により構成されたもので、下端近傍部に前記ネジｖ１が螺着されるナット２１を備えている。
このパイプ材の下端部１箇所には、ベース本体１５に突設された位置決め突起１５ａが嵌合する位置決め凹所１３ｘが設けられている。以上説明した左右の脚体１は、その支柱１３の上端部間が前記天板受け部材２により結合されており、さらに、前記支柱１３の上端近傍部間が横架材２３により連結されている。すなわち、これら両脚体１の下半部は相互に連結されておらず、それら両脚体１間に下肢空間Ｓが形成されている。
【００２１】
前記天板受部材２は、金属製、具体的にはスチール製の厚肉板金素材により作られたもので、図２〜図５に示すように、前記天板３を支持する傾斜部２５と、前記トレー４を支持する水平部２７とを一体に備えている。すなわち、前記傾斜部２５と前記水平部２７とは、左右に延びる屈曲線部２ａを介して連続している。前記傾斜部２５には支柱挿入孔２９が設けられており、この支柱挿入孔２９に前記脚体１の上端部すなわち前記支柱１３の上端部が挿入されている。そして、この支柱１３の上端面１３ａと前記支柱挿入孔２９の内周面２９ａとが溶接継ぎ手３１を介して剛結されている。また、前記水平部２７には、前記トレー４が剛結されている。具体的には、前記水平部２７に、トレー溶接用の溶接孔３３が左右方向に複数間隔をあけて貫設されている。これら溶接孔３３は、当該天板受部材２の先端から一定距離離れた屈曲線部２ａの近傍部分に設けられている。そして、これら溶接孔３３の内周面３３ａと前記トレー４の底壁５の下面５ａとを第１の溶接継ぎ手３５を介して剛結するとともに、前記天板受部材２の先端面２ｂと前記トレー４の底壁５の下面５ａとを第２の溶接継ぎ手３７を介して剛結している。
【００２２】
前記天板３は、図１〜図５に示すように、例えば平板状をなす木製の厚板状のもので、複数の皿ネジｖ３を用いて前記天板受け部材２の傾斜部２５上に止着されている。すなわち、この天板３は、前記天板受け部材２の傾斜部２５に対応して、使用端３ｂが反使用端３ａよりも低くなるように傾斜している。そして、この天板３の反使用端３ａ側に沿って前記トレー４を配している。
【００２３】
前記トレー４は、図３〜図５に示すように、前記底壁５と、この底壁５の反天板側の縁に沿って設けられた反天板側の起立壁６と、前記底壁５の天板側の縁に沿って設けられた天板側の起立壁７とを備えてなる金属製、具体的にはスチール製のチャンネル状のものであり、前記天板側の起立壁７の上端７ａと前記天板３の上面３ｓとが略面一に連続している。前記底壁５は、略水平となるように配されている。また、このトレー４は、前述したように前記天板受部材２の水平部２７に前記溶接継ぎ手３５、３７を介して剛結されている。
【００２４】
なお、前記図４では、天板３及びトレー４の一部を破断して示している。
【００２５】
このようなものであれば、天板３の反使用端３ａ側にトレー４を配することによって、そのトレー４に筆記具その他の備品を落下することなく収容しておくことができ、利便性や使い勝手が向上するだけでなく、そのトレー４が天板受部材２の補強材としても機能するため、天板受部材２自体を比較的軽量なものにしても全体の剛性を確保することが容易となる。そして、このように全体の剛性を確保していることから、両脚体１の下半部を相互に連結せずに、両脚体１間の下肢空間Ｓを十分に確保できる。
【００２６】
なお、本発明は以上に述べた実施形態に限らない。
【００２７】
例えば、天板受け部材及びトレーの材料やこれらを剛結するための手段は任意のものを採用することができる。また、同一の部材により天板受け部材及びトレーを一体に形成したものを採用することもできる。
【００２８】
また、前記トレーは、上述した実施形態におけるもののようなチャンネル状のものに限らず、底壁と、この底壁の反天板側の縁に沿って設けられた反天板側の起立壁のみを有するアングル状のもの等を採用してもよい。但し、上述した実施形態のように、底壁と、この底壁の反天板側の縁に沿って設けられた反天板側の起立壁と、前記底壁の天板側の縁に沿って設けられた天板側の起立壁とを備えてなるチャンネル状のものであり、前記天板側の起立壁の上端と前記天板の上面とが略面一に連続している構成を採用すれば、軽量化を図りつつ全体の剛性を高めることができ、また、前記天板側の起立壁の上端と前記天板の上面とが略面一に連続していることにより外観を整えることもできる。一方、底壁と、反天板側の起立壁のみを有するアングル状のトレーを採用すれば、強度をより高めることができる。
【００２９】
さらに、天板は、上述した実施形態におけるもののように使用端が反使用端よりも低くなるように傾斜させてあるものに限らず、上面（天板面）が水平であるものを採用してもよい。但し、上述した実施形態のように、前記天板の使用端が反使用端よりも低くなるように傾斜させてあれば、ソファに着座した着座者の前に配置して使用する際に天板が使いやすいという効果を得ることができる。
【００３０】
そして、天板受部材の形状も任意のものを採用してかまわない。但し、上述した実施形態のように、天板受部材が前記天板を支持する傾斜部と前記トレーを支持する水平部とを一体に備えたものであり、前記トレーが前記水平部に剛結されているものであれば、天板受部材が屈曲しているので、トレーが剛結されていることと相まって天板受部材の曲げ剛性の向上を図ることができる。
【００３１】
加えて、左右対をなす脚体間に相互に連結するための横架材を一切設けない構成や、逆に両脚体の下半部間を相互に連結するための横架材を設ける構成等を採用してももちろんよい。
【００３２】
その他、本発明の趣旨を損ねない範囲で種々に変更してよい。
【符号の説明】
【００３３】
Ｔ…テーブル
１…脚体
１ａ…脚体の上端
２…天板受部材
３…天板
３ａ…天板の反使用端
４…トレー
５…底壁
６…反天板側の起立壁
【図１】
2020028806.tif 000003
【図２】
2020028806.tif 000004
【図３】
2020028806.tif 000005
【図４】
2020028806.tif 000006
【図５】
2020028806.tif 000007